(57)【要約】【課題】超弾性材料で構成された芯材を用いた穂先部において、クラックを起こし難い被覆層を有する釣り竿を提供すること。【解決手段】穂先竿の穂先部２１は、穂先部２１の形状を有する芯材２２と、この芯材２２の表面上に設けられた被覆層２３と、穂先部２１の外周面上に設けられており、釣り糸を案内する複数のガイド２４とを有する。被覆層２３は、芯材２２の弾性変形領域内における変形時の伸び率と同等又はそれ以上である材料で構成される。ガイド２４は、固定部材である固定糸２４ａにより被覆層２３に固定されている。【選択図】図３
2006014608.tif 000002
【特許請求の範囲】
【請求項１】
穂先部を備えた釣り竿であって、前記穂先部は、超弾性材料で構成された穂先芯材と、前記穂先芯材の表面上に設けられており、前記穂先芯材の弾性変形領域内における変形時の伸び率と同等又はそれ以上である材料で構成された被覆層と、を具備することを特徴とする釣り竿。
【請求項２】
前記穂先芯材は、外径が０．５ｍｍ〜１．２ｍｍの中実材であることを特徴とする請求項１記載の釣り竿。
【請求項３】
前記被覆層は、２０μｍから２００μｍの厚さを有し、前記穂先部の先端から２００ｍｍの長さの範囲内に少なくとも部分的に設けられていることを特徴とする請求項１又は請求項２記載の釣り竿。
【請求項４】
前記被覆層は、蛍光材料又は蓄光材料が混入されていることを特徴とする請求項１から請求項３のいずれかに記載の釣り竿。
【請求項５】
前記穂先部は前記被覆層に取り付けられた複数のガイドを有し、前記ガイドは前記被覆層に食い込んだ状態で前記ガイドを固定する固定部材を有し、前記被覆層は前記複数のガイドの領域に延在することを特徴とする請求項１から請求項４のいずれかに記載の釣り竿。
【発明の詳細な説明】
【技術分野】
【０００１】
本発明は釣り竿に関し、特に超弾性合金を用いた穂先部を備えた釣り竿に関する。
【背景技術】
【０００２】
カワハギ釣り用の釣り竿は、穂先が局部的に曲がるという穂先に独特の調子が必要である。従来のカワハギ釣り用の釣り竿としては、穂先部の芯材をガラスやカーボンで構成したものがあった。しかしながら、例えば穂先部の芯材をガラスで構成した釣り竿では、上述した局部的に曲がって独特の調子を出すことはできるが、局部的な曲げを繰り返すことにより折れ易いという問題があった。この問題を解決するために、穂先部の芯材を超弾性材料で構成した釣り竿が開発された。
【０００３】
【特許文献１】特開２００１−３７３７８号公報
【発明の開示】
【発明が解決しようとする課題】
【０００４】
このような釣り竿において、視認性を良くするために穂先部の芯材上に塗膜のような被覆層を形成する。しかしながら、この被覆層は、超弾性材料で構成された芯材と異なる伸びを示す。すなわち、芯材は超弾性材料で構成されているので伸び率が相対的に大きいが、被覆層は通常の塗料で構成されるため伸び率が相対的に小さい。したがって、このような釣り竿の穂先が局部的に曲がる際に、芯材の伸びに被覆層が追従できずにクラックを起こすことがある。
【０００５】
本発明はかかる点に鑑みてなされたものであり、超弾性材料で構成された芯材を用いた穂先部において、視認性が良く、クラックを起こし難い被覆層を有する釣り竿を提供することを目的とする。
【課題を解決するための手段】
【０００６】
本発明の釣り竿は、穂先部を備えた釣り竿であって、前記穂先部は、超弾性材料で構成された穂先芯材と、前記穂先芯材の表面上に設けられており、前記穂先芯材の弾性変形領域内における変形時の伸び率と同等又はそれ以上である材料で構成された被覆層と、を具備することを特徴とする。
【０００７】
この構成によれば、芯材が超弾性材料で構成されているので、穂先が局部的に曲がるという穂先に独特の調子を発揮することができる。また、穂先芯材の表面上に設けられた被覆層が芯材の弾性変形領域内における変形時の伸び率と同等又はそれ以上である材料で構成されているので、芯材の曲げに追従することができ、被覆層のクラックを防止することができる。これにより、芯材を保護することができる。
【０００８】
本発明の釣り竿においては、前記穂先芯材は、外径が０．５ｍｍ〜１．２ｍｍの中実材であることが好ましい。
【０００９】
この構成によれば、弾性変形領域（加える力に比例して変形する性質を示す領域）が大きいので、過度の曲がりに対しても細径の部分の被覆層にクラックが発生し難くなる。
【００１０】
本発明の釣り竿においては、前記被覆層は、２０μｍから２００μｍの厚さを有し、前記穂先部の先端から２００ｍｍの長さの範囲内に少なくとも部分的に設けられていることが好ましい。
【００１１】
この構成によれば、所定の範囲に適当な厚さの被覆層を設けるので、大きく変形する部分に厚い塗膜などを被覆層として形成しても被覆層にクラックが発生し難くなる。
【００１２】
本発明の釣り竿においては、前記被覆層は、蛍光材料又は蓄光材料が混入されていることが好ましい。
【００１３】
この構成によれば、釣り竿の穂先部における装飾性が向上すると共に、視認性が向上し、アタリを感知し易くなる。
【００１４】
本発明の釣り竿においては、前記穂先部は前記被覆層に取り付けられた複数のガイドを有し、前記ガイドは前記被覆層に食い込んだ状態で前記ガイドを固定する固定部材を有し、前記被覆層は前記複数のガイドの領域に延在することが好ましい。
【００１５】
この構成によれば、ガイドが被覆層に食い込んだ状態になっているので、ガイドが緩み難くなると共に、ガイドを固定する固定糸やテープなどの段差を小さくすることができ、穂先部の平滑性を向上させることができる。また、ガイドの固定力が向上するので、接着剤を使用してガイドを被覆層に圧着固定することが可能となる。このように接着剤でガイドを固定することにより、ガイドが被覆層から外れ難くなる。さらに、接着剤でガイドを固定する方法は、工程の削減にも繋がる。
【発明の効果】
【００１６】
本発明によれば、穂先芯材の表面上に設けられた被覆層が芯材の弾性変形領域内における変形時の伸び率と同等又はそれ以上である材料で構成されているので、超弾性材料で構成された芯材を用いた穂先部において、クラックを起こし難い被覆層を有する釣り竿を提供することができる。
【発明を実施するための最良の形態】
【００１７】
以下、本発明の実施の形態について添付図面を参照して詳細に説明する。
図１は、本発明の一実施の形態に係る釣り竿の全体を示す図である。図中１は釣り竿を示す。この釣り竿１は、カワハギ釣り用の釣り竿であり、先端から穂先竿、中竿、及び元竿を含む竿体１１と、元竿に連接するリール取り付け部１２と、リール取り付け部１２に連接する前方グリップ１３と、前方グリップ１３よりも手元側に位置する後方グリップ１４とから主に構成されている。リール取り付け部１２のリール載置面１２ａには、例えばリール（図示せず）が固定具１５により装着される。
【００１８】
図２は、図１に示す釣り竿の穂先部（図１中のＡ部）を示す部分拡大図である。穂先竿の穂先部２１は、穂先部２１の形状を有する芯材２２と、この芯材２２の表面上に設けられた被覆層２３と、穂先部２１の外周面上に設けられており、釣り糸を案内する複数のガイド２４とを有する。
【００１９】
芯材２２は超弾性材料で構成されている。超弾性材料としては、超弾性合金や超弾性樹脂を挙げることができ、少なくとも３％の伸び率、好ましくは５％〜８％の伸び率を有するものが好ましい。具体的には、Ｎｉ−Ｔｉ系合金、Ｎｉ−Ｔｉ−Ｆｅ系合金、Ｎｉ−Ｔｉ−Ｃｕ系合金、Ｎｉ−Ｔｉ−Ｃｒ系合金などを用いることができる。ここで、本発明において伸び率とは、材料の引張試験のときの材料の伸びる割合のことで変形前の長さをＬ0、変形後の長さをＬ1としたときに（Ｌ1−Ｌ0）／Ｌ0×１００（％）で示される値をいう。
【００２０】
芯材２２は中実材であり、外径が０．５ｍｍ〜１．２ｍｍである。このような外径であると、弾性変形領域（加える力に比例して変形する性質を示す領域）が大きいので、過度の曲がりに対しても細径の部分の被覆層にクラックが発生し難くなる。ここで伸び率とクラックの関係を説明する。まず、芯材の外径と伸び率と曲率半径の関係を近似式で表すと、曲率半径≒芯材の半径／伸び率となる。例えば、芯材の外径が０．６ｍｍで伸び率を６％とすると曲率半径は５ｍｍとなる。すなわち、後述する被覆層２３は、曲がりの頂点位置の外径と芯材の伸び率によって曲率半径が求められ、その曲率半径よりも小さな曲率半径まで弾性変形領域内で曲げた場合にクラックが発生しない材料で構成されているということである。なお、本実施の形態では、芯材２２が中実材である場合について説明しているが、本発明においては、芯材２２が中空材であっても良い。
【００２１】
図３は、図２に示す穂先部の部分拡大図である。芯材２２の表面上には、被覆層２３が形成されている。この被覆層２３は、芯材２２を保護すると共に、装飾層として釣り竿の装飾性を向上させるために設けられ、図２及び図３に示すように、複数のガイド２４の領域に延在するように設けられている。このように複数のガイド２４間にまたがるように被覆層２３を設けることにより、穂先部２１の撓んでも弾性のある被覆層２３が撓みを吸収することができ、被覆層２３における撓みによるクラックの発生を防止することができる。また、このように複数のガイド２４間にまたがるように被覆層２３を設けることにより、ガイド２４の固定力が向上すると共に、視認性が向上する。この場合、被覆層２３は、少なくとも３０ｍｍの長さの範囲にわたって設ける。
【００２２】
被覆層２３は２０μｍから２００μｍ、好ましくは３０μｍから１６０μｍの厚さを有する。また、被覆層２３は、穂先部の先端から２００ｍｍの長さの範囲内に少なくとも部分的（一部又は全体）に設けられる。このように、所定の範囲に適当な厚さの被覆層を設けることにより、大きく変形する部分に厚い塗膜などを被覆層として形成しても被覆層にクラックが発生し難くなる。被覆層２３は、芯材２２の弾性変形領域内における変形時の伸び率と同等又はそれ以上である材料で構成される。特に、これらの材料の伸び率は少なくとも超弾性合金の弾性変形領域内における変形時の伸びよりも大きいことが好ましい。具体的には、被覆層２３は、伸び率が少なくとも６％、好ましくは少なくとも１０％である材料で構成されていることが好ましい。このような材料としては、例えばゴム系又はウレタン系の材料を挙げることができる。被覆層２３の形態としては、チューブや塗膜などを挙げることができる。
【００２３】
このように、芯材２２の弾性変形領域内における変形時の伸び率と同等又はそれ以上である材料で構成された被覆層２３を芯材２２上に有することにより、芯材２２が変形したときに、被覆層２３がその変形に追従して変形することができる。これにより、被覆層２３の外面（本構成においてガイド２４側）におけるクラックの発生を防止することができる。したがって、芯材２２の弾性変形領域内における変形時の伸び率と、被覆層２３を構成する材料の伸び率とを同等又は被覆層２３の伸び率を大きくするように設定することにより本発明の効果が発揮される。
【００２４】
被覆層２３には、蛍光材料又は蓄光材料が混入されていることが好ましい。これにより、穂先部２１の装飾性が向上すると共に、視認性が向上し、アタリを感知し易くなる。蛍光材料や蓄光材料を含む被覆層２３は、視認性を考慮すると、蛍光材料や蓄光材料を３０重量％以上含有する透明材料（例えば透明塗料）で構成されることが好ましい。蛍光材料としては、ＺｎＳなどの蛍光顔料などを挙げることができ、蓄光材料としては、Ａｌ2Ｏ3、ＢａＣＯ3、ＳｒＣｌ2などの蓄光顔料などを挙げることができる。
【００２５】
なお、光が際立つように、芯材２２と被覆層２３との間に白色の塗膜を設けても良い。また、芯材２２の表面上に蛍光材料や蓄光材料などを用いた装飾層を設けておき、その上に透明の被覆層２３を設けて外部から装飾層を視認できるような構成にしても良い。また、被覆層２３上には、他の層を設けないことが好ましい。
【００２６】
ガイド２４は、図３に示すように、被覆層２３上に設けられている。それぞれのガイド２４は、固定部材により被覆層２３に固定されている。図３においては、固定部材として固定糸２４ａを用い、ガイド２４を被覆層２３上に載置し、ガイドの載置部２４ｂ上に固定糸２４ａを巻回することによりガイド２４を被覆層２３上に固定する。この固定糸２４ａの材料としては、綿、ナイロン（Ｒ）、ビニロン、ポリエステル、絹などを用いることができる。例えば、固定糸として綿糸を用いる場合、綿糸のサイズは、０．１ｍｍ〜０．２３ｍｍ程度の外径を有することが好ましい。これは、１００番〜３０番程度に相当する。特に、外径が約０．１７ｍｍで５０番（１１．８１テックス）であることが好ましい
【００２７】
上記実施の形態においては、固定部材として固定糸２４ａを用いた場合について説明しているが、本発明においては、固定部材としてテープを用いても良い。この場合、テープとしては、合成樹脂テープ、布粘着テープ、プリプレグテープなどを用いることができる。これらのテープは、０．０５ｍｍ〜０．３ｍｍの厚さで、約１ｍｍ〜１０ｍｍの幅を有することが好ましい。また、上記実施の形態においては、ガイド２４として、片側に載置部２４ｂを有するものを用いた場合について説明しているが、本発明においては、両側に載置部２４ｂを有するものを用いても良い。
【００２８】
ガイド２４は、固定部材が被覆層２３に食い込んだ状態で固定部材により固定されることが好ましい。図４は、図２に示す穂先部へのガイドの取り付け状態を説明するための図である。図４から分かるように、ガイド２４の固定部材である載置部２４ｂが被覆層２３に食い込んでいる。すなわち、載置部２４ｂの下の被覆層は薄肉層２３ａになっている。このように、ガイド２４の載置部２４ｂが被覆層２３に食い込んだ状態になると、ガイド２４が緩み難くなると共に、固定糸２４ａを巻回した部分の段差を小さくすることができ、穂先部の平滑性を向上させることができる。なお、ガイド２４の載置部２４ｂの反対側（図中Ｂ領域）に枕糸（図示せず）を巻回しても良い。これにより、ガイド２４の抜けを防止することができる。
【００２９】
このような効果は、ガイド構成が異なっていても同様に発揮できる。図５は、図２に示す穂先部へのガイドの他の取り付け状態を説明するための図である。このガイド２５は、固定部材である本体部２５ａと、本体部２５ａに取り付けられたステー部２５ｂと、ステー部２５ｂに取り付けられたリング部２５ｃとから主に構成されている。本体部２５ａは、被覆層２３の周囲にわたって設けられている。
【００３０】
図５から分かるように、ガイド２５の本体部２５ａが被覆層２３に食い込んでいる。すなわち、本体部２５ａの下の被覆層は薄肉層２３ａになっている。このように、ガイド２５の本体部２５ａが被覆層２３に食い込んだ状態になると、ガイド２５の固定力が向上する。これにより、接着剤を使用して圧着固定することが可能となる。このように接着剤でガイドを固定することにより、ガイドが被覆層から外れ難くなる。さらに、接着剤でガイドを固定する方法は、工程の削減にも繋がる。なお、ガイド２５は、接着剤を用いて被覆層２３に接着せずに、通常の移動ガイドとして使用しても良い。
【００３１】
上記構成を有する釣り竿は、芯材が超弾性材料で構成されているので、穂先が局部的に曲がるという穂先に独特の調子を発揮することができる。また、穂先芯材の表面上に設けられた被覆層が芯材の弾性変形領域内における変形時の伸び率と同等又はそれ以上である材料で構成されているので、芯材の曲げに追従することができ、大きな変形を受けても被覆層の剥離やクラックを防止することができる。これにより、芯材を保護することができる。
【００３２】
本発明は上記実施の形態に限定されず、種々変更して実施することが可能である。例えば、上記実施の形態で説明した数値や材質については特に制限はなく、本発明の目的の範囲を逸脱しない限りにおいて適宜変更することが可能である。
【図面の簡単な説明】
【００３３】
【図１】本発明の一実施の形態に係る釣り竿の全体を示す図である。
【図２】図１に示す釣り竿の穂先部（図１中のＡ部）を示す部分拡大図である。
【図３】図２に示す穂先部の部分拡大図である。
【図４】図２に示す穂先部へのガイドの取り付け状態を説明するための図である。
【図５】図２に示す穂先部へのガイドの他の取り付け状態を説明するための図である。
【符号の説明】
【００３４】
１  釣り竿
１１  竿体
１２  リール取り付け部
１３  前方グリップ、
１４  後方グリップ
１５  固定具
２１  穂先部
２２  芯材
２３  被覆層
２３ａ  薄肉層
２４，２５  ガイド
２４ａ  固定糸
２４ｂ  載置部
２５ａ  本体部
２５ｂ  ステー部
２５ｃ  リング部
【図１】
2006014608.tif 000003
【図２】
2006014608.tif 000004
【図３】
2006014608.tif 000005
【図４】
2006014608.tif 000006
【図５】
2006014608.tif 000007